(57)【要約】【課題】液晶表示パネルの焼付きを抑制できる液晶表示装置を提供する。【解決手段】液晶表示装置では、温度センサでモニタされる液晶表示パネル周囲の環境温度Ｔが常温よりやや高い所定温度ＴＣ以上で、単位時間当たりの温度変化が所定値以上の温度上昇を検出した場合には、例えば全面均一な黒色の焼付き防止用画像に液晶表示パネルの画面を更新する。また、環境温度Ｔが閾値温度ＴＭ（＞ＴＣ）に達する場合には、直ちに画面を焼付き防止用画像に更新する。さらに、環境温度ＴがＴＬ≦Ｔ＜ＴＭでかつ不可逆的な焼付きを生じない範囲において一定期間ｔ２が経過し、表示更新が行われていない場合には画面を焼付き防止用画像に更新する。これらの処理により、液晶表示パネルの焼付きを抑制できる。【選択図】        図９
2004219715.tif 000002
【特許請求の範囲】
【請求項１】
液晶表示装置であって、
（ａ）メモリ性を有しコレステリック液晶相の選択反射を利用して表示を行う液晶表示パネルと、
（ｂ）前記液晶表示パネルを駆動する駆動回路と、
（ｃ）前記液晶表示パネルの周囲における環境温度を検出する温度検出手段と、
（ｄ）前記温度検出手段で検出される前記環境温度が所定温度以上となる場合には、前記駆動回路を能動化させて、前記液晶表示パネルの画面を焼付き防止用画像に更新する制御手段と、
を備えることを特徴とする液晶表示装置。
【請求項２】
請求項１に記載の液晶表示装置において、
前記制御手段は、
（ｄ−１）前記温度検出手段で検出される前記環境温度が所定温度以上となり、かつ前記液晶表示パネルにおける表示の更新が行われずに所定時間が経過した場合には、前記駆動回路を能動化させて、前記液晶表示パネルの画面を前記焼付き防止用画像に更新する手段、
を有することを特徴とする液晶表示装置。
【請求項３】
液晶表示装置であって、
（ａ）メモリ性を有しコレステリック液晶相の選択反射を利用して表示を行う液晶表示パネルと、
（ｂ）前記液晶表示パネルを駆動する駆動回路と、
（ｃ）前記液晶表示パネルの周囲における環境温度を検出する温度検出手段と、
（ｄ）前記温度検出手段で検出される前記環境温度が第１温度以上となる場合には、前記駆動回路を能動化させて、前記液晶表示パネルの画面を前記焼付き防止用画像に更新する第１制御手段と、
（ｅ）前記温度検出手段で検出される前記環境温度が前記第１温度より高い第２温度となる場合には、直ちに前記駆動回路を能動化させて、前記液晶表示パネルの画面を前記焼付き防止用画像に更新する第２制御手段と、
を備えることを特徴とする液晶表示装置。
【請求項４】
液晶表示装置であって、
（ａ）メモリ性を有しコレステリック液晶相の選択反射を利用して表示を行う液晶表示パネルと、
（ｂ）前記液晶表示パネルに画像を書込んだ後、休止状態に移行する駆動回路と、
（ｃ）前記液晶表示パネルにおける画面更新から経過した時間を計測する計時手段と、
（ｄ）前記画面更新から経過した時間が所定の時間に達した場合には、前記休止状態にある前記駆動回路を能動化させて、前記液晶表示パネルに焼付き防止用画像を表示させる制御手段と、
を備えることを特徴とする液晶表示装置。
【請求項５】
液晶表示装置であって、
（ａ）メモリ性を有しコレステリック液晶相の選択反射を利用して表示を行う液晶表示パネルと、
（ｂ）前記液晶表示パネルに画像を書込んだ後、休止状態に移行する駆動回路と、
（ｃ）前記液晶表示パネルを覆う第１位置と、前記液晶表示パネルを開放する第２位置とに移行可能な蓋部材と、
（ｄ）前記蓋部材が前記第１位置となる場合には、前記休止状態にある前記駆動回路を能動化させて、前記液晶表示パネルの画面に焼付き防止用画像を表示させる制御手段と、
を備えることを特徴とする液晶表示装置。
【発明の詳細な説明】
【０００１】
【発明の属する技術分野】
本発明は、メモリ性を有しコレステリック液晶相の選択反射を利用して表示を行う液晶表示パネルを備える液晶表示装置に関する。
【０００２】
【従来の技術】
近年、デジタル情報を可視情報に再生する媒体として、室温でコレステリック相を示す液晶（主としてカイラルネマチック（ＣＮ）液晶）を用いた選択反射型の液晶表示素子（パネル）が、電圧無印加状態で表示を維持し得るメモリ性を有することから電力消費が少なく、また安価に製作できる利点に着目して種々開発研究されている。
【０００３】
この液晶表示パネルを利用した液晶表示装置としては、例えば特許文献１〜３に開示されている。
【０００４】
【特許文献１】
特開２０００−１４７４６５号公報
【特許文献２】
特開２０００−２８４７６０号公報
【特許文献１】
特開２０００−３３０５２６号公報
【０００５】
【発明が解決しようとする課題】
しかしながら、上記の特許文献１〜３では、カイラルネマチック液晶表示パネルの問題点の１つである焼付きに関して考慮されていない。
【０００６】
この焼付きとは、画像表示を行い液晶がプレーナ状態とフォーカルコニック状態とに書き分けられた状態で放置された後、表示内容を別の画像に変更した場合に、前回の表示画像の履歴が観察される現象である。焼付きは表示品質を損なうため好ましくない。
【０００７】
本発明者の検討によれば、焼付きは放置時間が長くなるほど、また液晶表示素子周囲の環境温度が高くなるほど発生しやすくなる。特に、環境温度の影響が大きく、高温になるほど短時間で焼付きを発生するようになる。室内での焼付きであれば、例えば、パネル全面をフォーカルコニック状態にセットし室温で放置することにより緩和され、所定時間その状態を保つことで焼付きを解消できる。しかし、高温環境での焼付きは上記の室温放置による解消に長時間を要し、温度が高くなるほど焼付きの解消が困難になる。すなわち、環境温度が高くなりすぎると焼付きは実質的に不可逆的なものとなってしまう。
【０００８】
本発明は、上記課題に鑑みてなされたものであり、液晶表示パネルの焼付きを抑制できる液晶表示装置を提供することを目的とする。
【０００９】
【課題を解決するための手段】
上記の課題を解決するため、請求項１の発明は、液晶表示装置であって、（ａ）メモリ性を有しコレステリック液晶相の選択反射を利用して表示を行う液晶表示パネルと、（ｂ）前記液晶表示パネルを駆動する駆動回路と、（ｃ）前記液晶表示パネルの周囲における環境温度を検出する温度検出手段と、（ｄ）前記温度検出手段で検出される前記環境温度が所定温度以上となる場合には、前記駆動回路を能動化させて、前記液晶表示パネルの画面を焼付き防止用画像に更新する制御手段とを備える。
【００１０】
また、請求項２の発明は、請求項１の発明に係る液晶表示装置において、前記制御手段は、（ｄ−１）前記温度検出手段で検出される前記環境温度が所定温度以上となり、かつ前記液晶表示パネルにおける表示の更新が行われずに所定時間が経過した場合には、前記駆動回路を能動化させて、前記液晶表示パネルの画面を前記焼付き防止用画像に更新する手段を有する。
【００１１】
また、請求項３の発明は、液晶表示装置であって、（ａ）メモリ性を有しコレステリック液晶相の選択反射を利用して表示を行う液晶表示パネルと、（ｂ）前記液晶表示パネルを駆動する駆動回路と、（ｃ）前記液晶表示パネルの周囲における環境温度を検出する温度検出手段と、（ｄ）前記温度検出手段で検出される前記環境温度が第１温度以上となる場合には、前記駆動回路を能動化させて、前記液晶表示パネルの画面を前記焼付き防止用画像に更新する第１制御手段と、（ｅ）前記温度検出手段で検出される前記環境温度が前記第１温度より高い第２温度となる場合には、直ちに前記駆動回路を能動化させて、前記液晶表示パネルの画面を前記焼付き防止用画像に更新する第２制御手段とを備える。
【００１２】
また、請求項４の発明は、液晶表示装置であって、（ａ）メモリ性を有しコレステリック液晶相の選択反射を利用して表示を行う液晶表示パネルと、（ｂ）前記液晶表示パネルに画像を書込んだ後、休止状態に移行する駆動回路と、（ｃ）前記液晶表示パネルにおける画面更新から経過した時間を計測する計時手段と、（ｄ）前記画面更新から経過した時間が所定の時間に達した場合には、前記休止状態にある前記駆動回路を能動化させて、前記液晶表示パネルに焼付き防止用画像を表示させる制御手段とを備える。
【００１３】
また、請求項５の発明は、液晶表示装置であって、（ａ）メモリ性を有しコレステリック液晶相の選択反射を利用して表示を行う液晶表示パネルと、（ｂ）前記液晶表示パネルに画像を書込んだ後、休止状態に移行する駆動回路と、（ｃ）前記液晶表示パネルを覆う第１位置と、前記液晶表示パネルを開放する第２位置とに移行可能な蓋部材と、（ｄ）前記蓋部材が前記第１位置となる場合には、前記休止状態にある前記駆動回路を能動化させて、前記液晶表示パネルの画面に焼付き防止用画像を表示させる制御手段とを備える。
【００１４】
【発明の実施の形態】
＜第１実施形態＞
＜液晶表示装置の要部構成＞
図１は、本発明の第１実施形態に係る液晶表示装置１０を示す斜視図である。
【００１５】
液晶表示装置１０は、見開き状態にできる２画面を備えた電子書籍タイプの液晶表示装置となっている。
【００１６】
この液晶表示装置１０は、右ページを構成する液晶表示パネル１１Ｒと左ページを構成する液晶表示パネル１１Ｌとからなっている。各パネル１１（１１Ｒ，１１Ｌ）は、後述するフルカラーの液晶表示素子１００Ｒ，１００Ｌを有している。筐体１２（１２Ｒ，１２Ｌ）は中央部のヒンジ１３によって連結されており、二つの画面が重なった閉状態と、二つの画面が並んだ開状態とに開閉可能である。すなわち、筐体１２は、液晶表示パネルを覆う第１位置と、液晶表示パネルを開放する第２位置とに移行可能な蓋部材として機能する。
【００１７】
筐体１２の下段は操作パネル２０Ｒ、２０Ｌとして構成されている。操作パネル２０Ｒには、主電源をオン／オフするための電源キー２１と、メニュー表示を実行するためのメニューキー２２と、コマンドの決定を指示するための決定キー２３と、カーソル移動キー２４Ｒとが設けられている。また、操作パネル２０Ｌには、右面のみを更新するモードを選択するためのキー２５と、左面のみを更新するモードを選択するためのキー２６と、両面を同時に更新するモードを選択するためのキー２７と、カーソル移動キー２４Ｌとが設けられている。
【００１８】
筐体１２は、ヒンジ１３周辺の中央部に、例えばスライド部材などを用いた表示機器として構成される表示窓４１が設けられている。この表示窓４１は、焼付き防止処理の作動状態を示すための表示窓ＴＥＭＰと、画面更新禁止／許可を表示するための表示窓ＰＲＣＴとで構成されている。
【００１９】
筐体１２には、液晶表示素子１００Ｒ，１００Ｌ周囲の環境温度を測定するための温度センサ３１Ｒ，３１Ｌ及びスピーカ３２Ｒ，３２Ｌが内蔵されている。筐体１２Ｒには、通信用電波を送受信するためのアンテナ３３が設けられている。また、筐体１２Ｌには記録媒体３５を装着するためのスロット３４が設けられている。この記録媒体３５は、表示パネル１１に表示すべき書籍データを記憶したもので、半導体メモリ、光ディスク、リムーバブルハードディスク等が使用される。なお、表示すべきデータはアンテナ３３を通じても液晶表示装置１０に入力可能である。
【００２０】
また、筐体１２Ｒ，１２Ｌの内部には、液晶表示素子１００Ｒ，１００Ｌを駆動するための駆動回路や制御部５０（後述）が収納されている。
【００２１】
図２は、液晶表示素子１００Ｒ、１００Ｌの要部構成を示す断面図である。
【００２２】
液晶表示素子１００Ｒ，１００Ｌは、コレステリック相を示す液晶を含む表示層１１１Ｒ，１１１Ｇ，１１１Ｂを積層した、単純マトリクス駆動方式による反射型のフルカラー液晶表示素子である。
【００２３】
この液晶表示素子１００Ｒ，１００Ｌは、光吸収層１２１の上に、赤色の選択反射と透明状態の切換えにより表示を行う赤色表示層１１１Ｒを配し、その上に緑色の選択反射と透明状態の切換えにより表示を行う緑色表示層１１１Ｇを積層し、さらに、その上に青色の選択反射と透明状態の切換えにより表示を行う青色表示層１１１Ｂを積層したものである。
【００２４】
各表示層１１Ｒ，１１１Ｇ，１１１Ｂは、それそれ透明電極１１３，１１４を形成した樹脂やガラス等からなる透明基板１１２間に液晶１１６及びスペーサ１１７を挟持し、両基板１１２を樹脂製柱状構造物１１５で接着したものである。透明電極１１３，１１４上には必要に応じて絶縁膜１１８、配向制御膜１１９が設けられる。また、基板１１２の外周部（表示領域外）には液晶１１６を封止するためのシール材１２０が設けられる。
【００２５】
透明電極１１３，１１４は、それぞれ走査駆動ＩＣ１３１Ｒ，１３１Ｌ、信号駆動ＩＣ１３２Ｒ，１３２Ｌ（図３参照）に接続されており、透明電極１１３，１１４にそれぞれ所定のパルス電圧が印加される。この印加電圧に応答して、液晶１１６が可視光を透過する透明状態と特定波長の可視光を選択的に反射する選択反射状態との間で表示が切り換えられる。
【００２６】
各表示層１１１Ｒ，１１１Ｇ，１１１Ｂに設けられている透明電極１１３，１１４は、それぞれ微細な間隔を保って平行に並べられた複数の帯状電極からなり、その帯状電極の並ぶ向きが平面から見て互いに直角方向となるように対向させてある。これら上下の帯状電極に順次通電が行われる。すなわち、各液晶１１６に対してマトリクス状に順次電圧が印加されて表示が行われる。これをマトリクス駆動と称し、電極１１３，１１４が交差する部分が各画素を構成することになる。このようなマトリクス駆動を各表示層ごとに行うことにより液晶表示素子１００にフルカラー画像の表示を行う。
【００２７】
詳しくは、２枚の基板間にコレステリック相を示す液晶を挟持した液晶表示素子では、液晶の状態をプレーナ状態とフォーカルコニック状態に切り換えて表示を行う。液晶がプレーナ状態の場合、コレステリック液晶の螺旋ピッチをＰ、液晶の平均屈折率をｎとすると、（波長）＝Ｐ・ｎの光が選択的に反射される。また、フォーカルコニック状態では、コレステリック液晶の選択反射波長が赤外光域にある場合には入射光を散乱し、それよりも短い場合には散乱が弱くなり実質的に可視光を透過する。そのため、選択反射波長を可視光域に設定し、素子の観察側と反対側に光吸収層を設けることにより、プレーナ状態で選択反射色の表示が、フォーカルコニック状態で黒色の表示が可能になる。また、選択反射波長を赤外光域に設定し、素子の観察側と反対側に光吸収層を設けることにより、プレーナ状態では赤外光域の波長の光を反射するが可視光域の波長の光は透過するので黒色の表示が、フォーカルコニック状態で散乱による白色の表示が可能になる。
【００２８】
各表示層１１１Ｒ，１１１Ｇ，１１１Ｂを積層した液晶表示素子１００Ｒ，１００Ｌは、青色表示層１１１Ｂ及び緑色表示層１１１Ｇを液晶がフォーカルコニック配列となった透明状態とし、赤色表示層１１１Ｒを液晶がプレーナ配列となった選択反射状態とすることにより、赤色表示を行うことができる。また、青色表示層１１１Ｂを液晶がフォーカルコニック配列となった透明状態とし、緑色表示層１１１Ｇ及び赤色表示層１１１Ｒを液晶がプレーナ配列となった選択反射状態とすることにより、イエローの表示を行うことができる。同様に、各表示層の状態を透明状態と選択反射状態とを適宜選択することにより赤色、緑色、青色、白色、シアン、マゼンタ、イエロー、黒色の表示が可能である。さらに、各表示層１１１Ｒ，１１１Ｇ，１１１Ｂの状態として中間の選択反射状態を選択することにより中間色の表示が可能となり、フルカラー表示素子として利用できる。
【００２９】
液晶１１６としては、室温でコレステリック液晶相を示すものが好ましく、特に、ネマチック液晶にコレステリック液晶相を示すのに十分な量のカイラル材を添加することによって得られるカイラルネマチック液晶が好適である。
【００３０】
カイラル材は、ネマチック液晶に添加された場合にネマチック液晶の分子を捩る作用を有する添加剤である。カイラル材をネマチック液晶に添加することにより、所定の捩れ間隔を有する液晶分子の螺旋構造が生じ、これによりコレステリック液晶相を示す。
【００３１】
また、この種のカイラルネマチック液晶を表示媒体として利用することにより、電圧無印加状態で表示状態を半永久的に保つことができる、いわゆるメモリ性を有する液晶表示パネルを得ることができる。従って、制御部５０（後述）のＣＰＵがスリープモードにある間も画像を表示し続けることができる。
【００３２】
なお、液晶表示層は必ずしもこの構成に限定されるわけではなく、樹脂製構造物が堰状になったものや、樹脂製構造物を省略したものであってもよい。また、従来公知の高分子の３次元網目構造のなかに液晶が分散された、あるいは、液晶中に高分子の３次元網目構造が形成された、いわゆる高分子分散型の液晶複合膜として液晶表示層を構成することも可能である。
【００３３】
図３は、液晶表示装置１０の機能ブロックを示す図である。
【００３４】
液晶表示素子１００Ｒ，１００Ｌの画素構成は、それぞれ複数本の走査電極Ｒ１，Ｒ２〜Ｒｍと信号電極Ｃ１，Ｃ２〜Ｃｎ（ｍ，ｎは自然数）とのマトリクスで表される。これらの走査電極Ｒ１，Ｒ２〜Ｒｍは、走査駆動ＩＣ１３１Ｒ，１３１Ｌの出力端子に接続され、信号電極Ｃ１，Ｃ２〜Ｃｎは、信号駆動ＩＣ１３２Ｒ，１３２Ｌの出力端子に接続されている。
【００３５】
走査駆動ＩＣ１３１Ｒ，１３１Ｌは、走査電極Ｒ１，Ｒ２〜Ｒｍのうち所定のものに選択信号を出力して選択状態とする一方、その他の電極には非選択信号を出力して非選択状態とする。走査駆動ＩＣ１３１Ｒ，１３１Ｌは、所定の時間間隔で電極を切り換えながら順次各走査電極Ｒ１，Ｒ２〜Ｒｍに選択信号を印加してゆく。一方、信号駆動ＩＣ１３２Ｒ，１３２Ｌは、選択状態にある走査電極Ｒ１，Ｒ２〜Ｒｍ上の各画素を書き換えるべく、画像データに応じた信号を各信号電極Ｃ１，Ｃ２〜Ｃｎに同時に出力する。例えば、走査電極Ｒａが選択されると（ａはａ≦ｍを満たす自然数）、この走査電極Ｒａと各信号電極Ｃ１，Ｃ２〜Ｃｎとの交差部分の画素ＬＲａ−Ｃ１〜ＬＲａ−Ｃｎが同時に書き換えられる。これにより、各画素における走査電極と信号電極との電圧差が画素の書換え電圧となり、各画素がこの書換え電圧に応じて書き換えられる。
【００３６】
画像の書換えは、全ての走査ラインを順次選択して行う。部分的に書換える場合は、書換えたい部分を含むように特定の走査ラインのみを順次選択するようにすればよい。これにより、必要な部分のみを短時間で書き換えることができる。
【００３７】
制御部５０は、全体の制御を行う中央処理装置（ＣＰＵ）５１、上記の走査駆動ＩＣおよび信号駆動ＩＣを制御するＬＣＤコントローラ５２、画像データに各種の処理を施す画像処理部５３、画像データを記憶する画像メモリ５４、制御プログラムや各種データを記憶したＲＯＭ５５、各種データを記憶するためのＲＡＭ５６によって構成されている。
【００３８】
ＣＰＵ５１には、操作パネル２０Ｒ，２０Ｌと、温度センサ３１Ｒ，３１Ｌと、スピーカ３２Ｒ，３２Ｌと、通信ユニット６１と、記録媒体３５のリーダ／ライタ６２と、タッチパネル６３と、フロントライト６４Ｒ，６４Ｌとが接続されている。これらの各デバイスはＣＰＵ５１と必要な信号を送受し、ＣＰＵ５１によって制御される。
【００３９】
また、ＣＰＵ５１には、上述した表示窓４１と、タイマ４２とが接続されている。
【００４０】
タイマ４２は、所定のタイミングからの所定時間の経過をカウントし、カウントアップで動作を停止する。また、タイマ４２は、各々独立して動作する５つのタイマｔｍ１〜ｔｍ５（後で詳述）を有している。
【００４１】
駆動ＩＣ１３１Ｒ，１３１Ｌ，１３２Ｒ，１３２Ｌには、電源部７０から電力が供給される。この電源部７０は、メインバッテリ７１と、メインバッテリ７１の容量切れの際に必要な処理を行うための予備バッテリ７２とを備えている。メインバッテリ７１は、例えばリチウム２次電池や乾電池などの電池を使用し、筐体１２のバッテリカバー（不図示）を開けることで操作者により着脱可能となっている。
【００４２】
電源部７０には、ＣＰＵ５１からの指示により使用するバッテリ（メインバッテリ７１、予備バッテリ７２）を選択する電源切換え回路７３が接続されている。そして、電源部７０のバッテリの残容量を測定するバッテリチェッカ４３がＣＰＵ５１に接続されている。
【００４３】
ＬＣＤコントローラ５２は、画像メモリ５４に記憶された画像データに基づいて駆動ＩＣ１３１Ｒ，１３１Ｌ，１３２Ｒ，１３２Ｌを制御し、液晶表示素子１００Ｒ，１００Ｌの各走査電極及び信号電極間に順次電圧を印加し、画像を書き込む。
【００４４】
ＣＰＵ５１は、温度センサ３１Ｒ，３１Ｌから環境温度情報を取得してＲＡＭ５６に一時的に記憶させる。また、ＣＰＵ５１はスリープモードを有しており、画面の更新、外部との通信、記録媒体３５へのアクセス等の必要な処理が終了するとスリープモードに移行する。スリープモードでは、操作パネル２０Ｒ，２０Ｌの操作検出など必要最低限の機能のみを実行し、他の機能を停止してエネルギー消費の低減を図る。
【００４５】
図４は、液晶表示素子と駆動ＩＣ（駆動回路）との接続関係を説明するための図である。
【００４６】
走査駆動ＩＣ１３１Ｒ，１３１Ｌは、各表示層１１１Ｒ、１１１Ｇ、１１１Ｂに共通して設けられ、信号駆動ＩＣ１３２Ｒ，１３２Ｌは各表示層ごとに設けられている。ここで、各表示層の駆動電圧がほぼ等しければ、コスト低減のために、走査駆動ＩＣ１３１Ｒ，１３１Ｌを共通化することが好ましい。もちろん、走査駆動ＩＣ１３１Ｒ，１３１Ｌを各表示層ごとに設けてもよく、また信号駆動ＩＣ１３２Ｒ，１３２Ｌを各表示層に共通して設けてもよい。
【００４７】
＜液晶表示装置１０の動作＞
図５は、液晶表示装置１０の基本的な動作を説明するフローチャートである。本フローチャートは、ＣＰＵ５１により実行される液晶表示装置１０の制御手順を示すメインルーチンとなっている。
【００４８】
バッテリ装着や商用電源への接続等によって装置が起動すると、ＲＡＭ５６の初期化、レジスタ／フラグ等へのデフォルト値の設定、タイマ４２のリセットなどの初期設定が行われる（ステップＳ１）。そして、ステップＳ２〜Ｓ１０の処理が順次実行される。スリープ状態からの起床時にはステップＳ２から処理を開始する。
【００４９】
ステップＳ２では、入力処理を行う。この入力処理では、操作パネル２０Ｒ、２０Ｌやタッチパネル６３の操作状況を把握する。
【００５０】
ステップＳ３では、温度検知処理を行う。この温度検知処理では、温度センサ３１Ｒ、３１Ｌで液晶表示パネル１１周囲の環境温度が検出される。
【００５１】
ステップＳ４〜Ｓ９では、バッテリチェック処理、更新可否判定処理、焼付き防止処理、画面更新処理、タイマ補正処理および再表示処理が順に行われる（後で詳述）。
【００５２】
ステップＳ１０では、その他の処理、例えば通信処理、記憶媒体３５との情報のやり取り、音声処理やフロントライト制御が行われる。
【００５３】
ステップＳ１１では、スリープモードに移行するか否かを判定する。ここでは、液晶表示装置１０の操作が行われないまま所定時間が経過した場合などに、省電力のためにスリープモードに移行することとなる。ここで、スリープモードに移行する場合には、ステップＳ１２に進み、スリープモードに移行しない場合には、ステップＳ２に戻る。
【００５４】
ステップＳ１２では、タイマ４２のうち起床用タイマのリセットおよびスタートを行う。
【００５５】
ステップＳ１３では、スリープ処理を行う。このスリープ中は、ＣＰＵ５１の最低限必要な部分のみを動作させ他の部分をオフしたり、動作クロックを低下させたりしてＣＰＵ５１を省電力モードにする。各部への通電は必要なものを除き処理実行後直ちにオフされる。なお、スリープ中も、タイマ４２は動作可能で必要なもののカウントを継続する。
【００５６】
スリープ中においても、ステップＳ１２でスタートした起床用タイマのカウントアップや操作者による操作等をトリガとして、液晶表示装置１０は定期的にあるいはイベントに応答して起床し、必要な処理を実行する。そして、定期的な起床により、温度センサによる液晶表示パネル１１周囲の環境温度の検知が行われる。これにより、実質的に常時環境温度がモニタされる。
【００５７】
以上の液晶表示装置１０の動作において、駆動回路は１フレームが画面を描画すると通電がオフされ、直ちに休止状態となって節電が行われる。この駆動回路が休止状態にあっても、液晶表示パネル１１は電圧無印加状態で表示を保つことのできるメモリ性を有しているため表示は維持されることとなる。
【００５８】
図６は、上記のステップＳ４に対応するバッテリチェック処理を説明するフローチャートである。
【００５９】
ステップＳ１１では、バッテリが筐体１２に装着されているか否かを判定する。ここで、バッテリが装着されている場合には、ステップＳ１２に進み、装着されていない場合には、ステップＳ１６に進む。
【００６０】
ステップＳ１２では、バッテリチェッカ４３によりバッテリの残容量を測定する。
【００６１】
ステップＳ１３では、ステップＳ１２で測定したバッテリ容量が十分であるかを判定する。ここで、バッテリ容量が十分である場合には、ステップＳ１４に進み、十分でない場合には、ステップＳ１６に進む。
【００６２】
ステップＳ１４では、タイマｔｍ５が作動中であるかを判定する。このタイマｔｍ５は、メインバッテリ７１の残容量が下限値に達したり（バッテリ切れ）、バッテリケースが開けられてバッテリが筐体１２から取り外された時点からの経過時間をカウントする。なお、後述する焼付き防止処理において、タイマｔｍ５のカウントアップが検出されると画面が焼付き防止用画像に更新されることとなる。
【００６３】
このステップＳ１４において、タイマｔｍ５が作動中である場合にはステップＳ１５に進み、作動中でない場合（カウントアップ）にはステップＳ４に進む。
【００６４】
ステップＳ１５では、タイマｔｍ５をストップしてリセットする。
【００６５】
ステップＳ１６では、ステップＳ１４と同様に、タイマｔｍ５が作動中であるかを判定する。ここで、タイマｔｍ５が作動中である場合にはステップＳ４に進み、作動中でない場合にはステップＳ１７に進む。
【００６６】
ステップＳ１７では、タイマｔｍ５をスタートさせる。
【００６７】
ステップＳ１８では、例えばスピーカ３２Ｒ、３２Ｌから警告音を発するなど警告を行う。
【００６８】
以上のバッテリチェック処理では、バッテリカバーが開放されメインバッテリが筐体１２から取り外された場合や、バッテリの残容量が画面更新可能な下限値を下回った場合に、警告音を発生するなどして操作者にバッテリ切れ・外れを報知するとともに、その時からの経過時間をタイマｔｍ５でカウントする処理を行う。これにより、バッテリ切れで液晶表示パネル１１の画面を焼付き防止用画面に更新できなくなるのを回避できる。
【００６９】
図７は、上記のステップＳ５に対応する更新可否判定処理を説明するフローチャートである。
【００７０】
ステップＳ２１では、電源部７０内のバッテリがＯＫかを判定する。この判定により、メインバッテリ７１が取り外されていたり容量切れである場合に、画面更新が完了しないまま液晶表示装置１０がダウンするのを防止できる。
【００７１】
このステップＳ２１においてバッテリがＯＫである場合には、ステップＳ２２に進み、ＯＫでない場合には、ステップＳ２３に進む。
【００７２】
ステップＳ２２では、温度センサ３１Ｒ、３１Ｌで検出される環境温度が閾値温度ＴＭ以上であるかを判定する。この判定により、短時間の表示でも不可逆的な焼付きが生じるような高温範囲の閾値温度ＴＭ（例えば６０度）に達している場合に、後述する焼付き防止処理における焼付き防止画像への画面更新以外の通常の画面更新動作を禁止できる。
【００７３】
このステップＳ２２において環境温度が閾値温度ＴＭ以上である場合には、ステップＳ２３に進み、閾値温度ＴＭ未満である場合には、ステップＳ２５に進む。
【００７４】
ステップＳ２３では、表示窓ＰＲＣＴをオンにする。
【００７５】
ステップＳ２４では、液晶表示パネル１１における画面の通常更新を禁止する。すなわち、環境温度が閾値温度ＴＭ以上である限り、後述する焼付き防止処理における焼付き防止画像への画面更新以外の新たな通常の画面更新動作（例えばユーザによる頁送りなど）を禁止する。
【００７６】
ステップＳ２５では、温度センサ３１Ｒ、３１Ｌで検出する環境温度が閾値温度ＴＭ未満に変化したかを判定する。ここで、閾値温度ＴＭ未満に変化した場合にはステップ２６に進み、そうでない場合にはステップＳ２７に進む。
【００７７】
ステップＳ２６では、タイマｔｍ４をリセットしてスタートする。このタイマｔｍ４は、環境温度が閾値温度ＴＭより低くなった時点からの経過時間をカウントするものである。
【００７８】
ステップＳ２７では、筐体１２Ｒ、１２Ｌが開いているかを判定する。この判定により、筐体が閉じている場合には必要のない通常の画面更新を禁止できる。
【００７９】
ステップＳ２７において筐体が開いている場合には、ステップＳ２８に進み、開いていない場合にはステップＳ２４に進む。
【００８０】
ステップＳ２８では、温度センサ３１Ｒ、３１Ｌで検出する環境温度が閾値温度ＴＭ未満となって十分な時間が経過したかを判定する。この時間経過は、ステップＳ２６でスタートしたタイマｔｍ４で検知する。
【００８１】
ステップＳ２８において、筐体１２が開放された状態で環境温度がＴＭを十分な時間下回っている場合には、表示窓ＰＲＣＴの表示をオフにし（ステップＳ２９）、液晶表示パネル１１への画像更新禁止を解除して通常の更新動作を許可する（ステップＳ３０）。
【００８２】
以下では、上記のステップＳ６に対応する４種類の焼付き防止処理１〜４を説明する。なお、理解を容易にするため、以下の説明で使用する温度ＴＣ、ＴＬ、ＴＭの大小関係を図８（ａ）に示し、時間ｔ１〜ｔ４の大小関係を図８（ｂ）に示す。
【００８３】
図９は、焼付き防止処理１を説明するフローチャートである。
【００８４】
ステップＳ３１では、フラグが０であるかを判定する。ここで、フラグが０である場合には、ステップＳ３２に進み、０でない場合には、ステップＳ７に進む。
【００８５】
ステップＳ３２では、温度センサ３１Ｒ、３１Ｌによってモニタされている液晶表示パネル１１Ｒ、１１Ｌ周囲の環境温度が、常温よりやや高い所定温度ＴＣ（例えば３０度）以上となっているかを判定する。ここで、所定温度ＴＣより高い場合には、ステップＳ３３に進み、低い場合には、ステップＳ７に進む。
【００８６】
ステップＳ３３では、温度センサ３１Ｒ、３１Ｌで検出する環境温度の情報に基づいて単位時間当たりの温度変化を計測し、一定値以上（例えば５度／ｍｉｎ以上）の温度上昇が検出されたかを判定する。ここで、一定値以上の温度上昇が検出された場合には、ステップＳ４０に進み、検出されない場合には、ステップＳ３４に進む。
【００８７】
ステップＳ３４では、温度センサ３１Ｒ、３１Ｌで検出する環境温度が閾値温度（第２温度）ＴＭ以上となっているかを判定する。この判定により、環境温度が閾値温度ＴＭに達している場合には、駆動ＩＣ（駆動回路）を能動化させてステップＳ４０で直ちに画面を焼付き防止用画像に更新できることとなる。これにより、パネルが過酷な高温環境下に曝される場合（例えば真夏の車内に放置された場合）に不可逆的な焼付きを発生するのを回避できる。
【００８８】
このステップＳ３４において環境温度が閾値温度ＴＭ以上となっている場合には、ステップＳ４０に進み、そうでない場合には、ステップＳ３５に進む。
【００８９】
ステップＳ３５では、温度センサ３１Ｒ、３１Ｌで検出する環境温度が閾値温度（第１温度）ＴＬ以上となっているかを判定する。この判定により、環境温度が閾値温度ＴＭより低くて短時間であれば焼付きを生じないか、または一時的に焼付きが発生しても画像を消去して一定時間放置しておく等の処置により焼付きが解消され得る温度範囲への閾値温度ＴＬ（例えば４０度）以上である場合には、段階的な手順で焼付き防止用画像に更新できることとなる。
【００９０】
このステップＳ３５において環境温度が閾値温度ＴＬ以上となっている場合には、ステップＳ３６に進み、そうでない場合には、ステップＳ３７に進む。
【００９１】
ステップＳ３６では、タイマｔｍ１が作動中であるかを判定する。このタイマｔｍ１は、温度センサ３１で計測される環境温度が閾値温度ＴＬ〜ＴＭである時間を蓄積的にカウントするものである。このタイマｔｍ１により、環境温度が一時的に閾値温度ＴＬより低い温度に低下したときにカウント値がリセットされるのが防止され、より確実に焼付きを回避できることとなる。
【００９２】
このステップＳ３６において、タイマｔｍ１が作動中である場合には、ステップＳ３９に進む。一方、作動中でない場合には、ステップＳ３８に進み、タイマｔｍ１をスタートさせる。
【００９３】
ステップＳ３７では、タイマｔｍ１をストップする。
【００９４】
ステップＳ３９では、タイマｔｍ１で一定時間ｔ２（例えば２０分）が経過したかを判定する。この判定により、環境温度ＴがＴＬ≦Ｔ＜ＴＭでかつ不可逆的な焼付きを生じない範囲で一定期間ｔ２が経過する場合において、画面の表示更新が行われていない時には、ステップＳ４０で駆動回路を能動化させて画面を焼付き防止用画像に更新できることとなる。
【００９５】
このステップＳ３９において一定時間ｔ２を経過している場合には、ステップＳ４０に進み、そうでない場合には、ステップＳ４４に進む。
【００９６】
ステップＳ４０では、自動的に焼付き防止用画像（例えば全面均一な黒すなわちフォーカルコニック状態）に画面を更新する。
【００９７】
ステップＳ４１では、表示窓ＴＥＭＰの表示をオンにする。すなわち、焼付き防止用画像を表示した旨を示すマークを表示する。
【００９８】
ステップＳ４２では、フラグに１を代入する。
【００９９】
ステップＳ４３では、タイマｔｍ１をリセットする。
【０１００】
ステップＳ４４では、タイマｔｍ１で上記の時間ｔ２より短い一定期間ｔｌ（例えば１０分）が経過したかを判定する。この判定により、環境温度が閾値温度ＴＬ以上で、一定期間ｔ１が経過する場合において、画面更新が行われていない時に警告を行えることとなる。
【０１０１】
ステップＳ４５では、例えばスピーカ３２Ｒ、３２Ｌから警告音を発するなどの警告を行う。これによって、焼付き防止機能が作動する前に予め操作者に告知でき、操作者の意図に反して画像が消去されるのを防ぐことができる。
【０１０２】
以上の焼付き防止用処理１により、不可逆的な焼付きを生じるような温度範囲での画像表示が未然に回避され、焼付きの発生を効果的に防止することができる。
【０１０３】
図１０は、焼付き防止処理２を説明するフローチャートである。
【０１０４】
ステップＳ５１では、フラグが０であるかを判定する。ここで、フラグが０である場合には、ステップＳ５２に進み、０でない場合には、ステップＳ７に進む。
【０１０５】
ステップＳ５２では、筐体１２が閉じられたかを判定する。ここで、筐体１２が閉じられている場合、つまり液晶表示パネル１１を覆う位置である場合には、ステップＳ５２に進み、閉じられてない場合には、ステップＳ７に進む。
【０１０６】
ステップＳ５３では、フラグに２を代入する。
【０１０７】
ステップＳ５４では、上記のステップＳ４０と同様に、駆動回路を能動化させて液晶表示パネル１１の画面を焼付き防止用画像に更新する。このように、環境温度に関わらず、表示の必要性が低くなった時点で画面を焼付き防止用画像に更新してやれば、焼付きの発生を未然に防止することができる。
【０１０８】
ステップＳ５５では、タイマｔｍ１をストップしてリセットする。
【０１０９】
図１１は、焼付き防止処理３を説明するフローチャートである。
【０１１０】
ステップＳ６１では、フラグが０であるかを判定する。ここで、フラグが０である場合には、ステップＳ６２に進み、０でない場合には、ステップＳ７に進む。
【０１１１】
ステップＳ６２では、液晶表示パネル１１で前回に画像表示した時から所定時間ｔ３（例えば１時間）が経過したかを判定する。この経過時間は、前回の画像更新からの時間をカウントするタイマｔｍ３でカウントする。ここで、所定時間ｔ３が経過している場合には、ステップＳ６３に進み、経過していない場合には、ステップＳ７に進む。
【０１１２】
ステップＳ６３では、フラグに３を代入する。
【０１１３】
ステップＳ６４では、上記のステップＳ４０と同様に、液晶表示パネル１１の画面を焼付き防止用画像に更新する。すなわち、タイマｔｍ３（計時手段）で計測される画面更新からの経過時間が所定時間ｔ３に達した場合、休止状態にある駆動回路を能動化させて、液晶表示パネル１１に焼付き防止用画像を書込む。このように、環境温度に関わらず、表示の必要性が低くなった時点で画面を焼付き防止用画像に更新してやれば、焼付きの発生を未然に防止することができる。
【０１１４】
ステップＳ６５では、タイマｔｍ１をストップしてリセットする。
【０１１５】
図１２は、焼付き防止処理４を説明するフローチャートである。
【０１１６】
ステップＳ７１では、フラグが０であるかを判定する。ここで、フラグが０である場合には、ステップＳ７２に進み、０でない場合には、ステップＳ７に進む。
【０１１７】
ステップＳ７２では、上述したタイマｔｍ５がカウントアップしているかを判定する。ここで、タイマｔｍ５がカウントアップしている場合には、ステップＳ７３に進み、カウントアップしてない場合には、ステップＳ７に進む。
【０１１８】
ステップＳ７３では、フラグに４を代入する。
【０１１９】
ステップＳ７４では、上記のステップＳ４０と同様に、液晶表示パネル１１Ｒ、１１Ｌにおいて焼付き防止用画像に更新する。
【０１２０】
ステップＳ７５では、タイマｔｍ５をストップしてリセットする。
【０１２１】
液晶表示装置が本実施形態のように携帯型である場合には、通常、電源としてバッテリが用いられる。よって、このバッテリが液晶表示装置１０から取り外された場合や、バッテリの残容量が画面更新可能な下限値を下回る場合には、焼付き防止用画像への更新が不可能になる。そこで、以上の焼付き防止処理４を実行することにより、これらの場合には自動的に画面を焼付き防止用画像に更新して焼付きの発生を未然に防止する。
【０１２２】
なお、上記の焼付き防止処理４では、操作者によるバッテリ交換や寒い屋外への持ち出し等による一時的なバッテリの電圧低下などを考慮して、タイマｔｍ５による所定時間経過の検知を条件として焼付き防止用画像への更新を実行しているが、用途に合わせてバッテリの離脱やバッテリ切れがあったときに直ちに焼付き防止用画像への更新を実行しても良い。
【０１２３】
図１３は、上記のステップＳ７に対応する画面更新処理を説明するフローチャートである。
【０１２４】
ステップＳ８１では、操作者による頁送りキーの操作などにより画面の更新要求があるかを判定する。ここで、更新要求がある場合には、ステップＳ８２に進み、更新要求がない場合には、ステップＳ８に進む。
【０１２５】
ステップＳ８２では、画面更新が許可状態であるかを判定する。ここで、画面更新が許可されている場合には、ステップＳ８３に進み、許可されていない場合には、ステップＳ８に進む。
【０１２６】
ステップＳ８３では、温度センサ３１Ｒ、３１Ｌで検出される環境温度が閾値温度ＴＬ以上であるかを判定する。ここで、閾値温度ＴＬ以上である場合には、ステップＳ８４に進み、閾値温度ＴＬ未満である場合には、ステップＳ８６に進む。
【０１２７】
次に、液晶表示パネル１１への表示に関する補正値を算出し（ステップＳ８４）、液晶表示パネル１１が低コントラストとなるように補正する（ステップＳ８５）。コントラスト調整では、画像データ自体を補正してもよいし、駆動電圧パルスの電圧値やパルス幅などの駆動条件を補正するようにしてもよい。
【０１２８】
ステップＳ８６では、液晶表示パネル１１で画面更新を行う。この場合、環境温度が閾値温度ＴＬを超えていれば、その環境温度に応じてコントラストを低下させて表示する。これにより、焼付きが比較的生じやすい環境下における描画による焼付きの影響を緩和できる。
【０１２９】
ステップＳ８７では、焼付き防止処理３の実行を決定するためのタイマｔｍ３をリセットして再スタートさせる。
【０１３０】
図１４は、上記のステップＳ８に対応するタイマ補正処理を説明するフローチャートである。
【０１３１】
ステップＳ９１では、温度センサ３１Ｒ、３１Ｌで検出した今回の環境温度と、前回の環境温度とを比較する。
【０１３２】
ステップＳ９２では、ステップＳ９１で比較した結果、温度上昇があるか否かを判定する。ここで、温度上昇がある場合には、ステップＳ９３に進み、温度上昇がない場合には、ステップＳ９に進む。
【０１３３】
ステップＳ９３では、タイマｔｍ１〜５に関する各加減算値を算出する。タイマｔｍ１については、上昇温度に応じてカウント値を減算するための補正値を求める。これにより、液晶表示パネルの画面を焼付き防止用画像に更新するまでの時間を短縮でき、焼付きの影響の低減が可能となる。また、タイマｔｍ２〜５については、カウント値を上昇温度に応じて加算するための補正値を求める。
【０１３４】
ステップＳ９４では、ステップＳ９３で算出された補正値（加減算値）に基づき、各タイマｔｍ１〜５を補正する。
【０１３５】
図１５は、上記のステップＳ９に対応する再表示処理を説明するフローチャートである。
【０１３６】
ステップＳ１０１では、筐体１２が開いているかを判定する。ここで、筐体１２が開放されている場合には、ステップＳ１２に進み、開放されていない場合には、ステップＳ１０に進む。
【０１３７】
ステップＳ１０２では、フラグが１であるかを判定する。ここで、フラグが１である場合には、ステップＳ１０３に進み、フラグが１でない場合には、ステップＳ１０８に進む。
【０１３８】
ステップＳ１０３では、温度センサ３１Ｒ、３１Ｌで検出する環境温度が閾値温度ＴＬより低いかを判定する。ここで、閾値温度ＴＬより低い場合には、ステップＳ１０４に進み、高い場合には、ステップＳ１０に進む。
【０１３９】
ステップＳ１０４では、タイマｔｍ２が作動中であるかを判定する。ここで、タイマｔｍ２が作動中である場合には、ステップＳ１０５に進み、作動中でない場合には、ステップＳ１０６に進む。
【０１４０】
ステップＳ１０５では、タイマｔｍ２をリセットして再スタートする。
【０１４１】
ステップＳ１０６では、タイマｔｍ２での計測開始から時間ｔ４が経過したかを判定する。ここで、時間ｔ４を経過した場合にはステップＳ１０７に進み、経過していない場合にはステップＳ１０に進む。
【０１４２】
ステップＳ１０７では、表示窓ＴＥＭＰの表示をオフにする。
【０１４３】
ステップＳ１０８では、フラグが２であるかを判定する。ここで、フラグが２である場合には、ステップＳ１０９に進み、フラグが２でない場合には、ステップＳ１０に進む。
【０１４４】
ステップＳ１０９では、画面更新が許可状態であるかを判定する。ここで、画面更新が許可されている場合には、ステップＳ１１０に進み、許可されていない場合には、ステップＳ１０に進む。
【０１４５】
ステップＳ１１０では、液晶表示パネル１１において前回表示されていた画像に更新する。すなわち、焼付き防止用画像に更新する前に表示されていた画像を液晶表示パネル１１に再表示する。
【０１４６】
使用者の意図に反して自動的に焼付き防止用画像に更新されると不都合な場合がある。そこで、環境温度の上昇が一時的なものである場合には焼付きを生じない温度範囲に戻った後に、このステップＳ１１０で自動的に元の表示画像に戻す。これにより、例えば、使用者の不在時に一時的な温度上昇があったとしても焼付きは回避され、しかも使用者が戻ってきたときに不都合が生じないこととなる。
【０１４７】
また、筐体１２を閉じた場合には、上述した焼付き防止処理２で焼付き防止用画像が表示されるが、筐体１２を開けた場合には、更新許可状態であることを条件として、このステップＳ１１０で自動的に元の表示画像に戻す。これにより、焼付き防止が図れるとともに、使用者の利便性が向上する。
【０１４８】
ステップＳ１１１では、フラグに０を代入する。
【０１４９】
ステップＳ１１２では、タイマｔｍ３をリセットして再スタートする。
【０１５０】
以上の画像表示装置１０の動作により、焼付きのおそれがある場合には液晶表示パネル１１の画面を焼付き防止用画像に更新するため、液晶パネルの焼付きを抑制できる。
【０１５１】
なお、焼付き防止用画像としては、次に示す例が挙げられる。
【０１５２】
▲１▼全画素ともフォーカルコニック状態（透明状態）にする。背景が黒なら黒表示になる。これにより高温環境下に曝されても焼付きが生じず、画面のコントラストも低下しにくい。
【０１５３】
▲２▼全画素ともプレーナ状態（選択反射状態）にする。これにより、高温環境下に曝されても焼付きが生じず、画面の明るさも低下しにくい。
【０１５４】
▲３▼全画素とも同じ反射率の中間調表示状態にする。これにより、高温環境下に曝されても焼付きが生じず、画面のコントラスト及び明るさの低下が比較的少ない。
【０１５５】
▲４▼それまでに表示していた元の画像のデータに基づいて、元の画像よりも低コントラストの画像を表示する。これにより、表示が消去されないので操作者に不都合を与えにくい。
【０１５６】
▲５▼液晶表示パネルが積層型のものである場合には、他の層に比べて焼付きの起こりにくい少なくとも一つの液晶表示層で表示を行い、他の層は低コントラスト状態にセットしたり全画素均一な状態にセットしたりすることでも焼付きを抑制する。例えば、青色表示層、緑色表示層、赤色表示層の３つの液晶層を積層した液晶表示パネルの場合、本発明者の検討により赤色表示層は概して青色表示層や緑色表示層に比べて焼付きを生じにくいことが判明している。そこで、青色及び緑色表示層は全画素同じ反射率（例えばフォーカルコニック状態）にセットし、赤色表示層は表示を継続するとよい。これにより、少なくとも一つの表示層で表示が行われるため、観察者は表示内容を把握できる。
【０１５７】
また、液晶表示装置１０については、複数の画面が設けられる見開き型の筐体を開閉するものであったが、液晶表示パネルを有しない保護カバーとしての蓋部材を１の画面に対して開閉するものであっても良い。この場合には、この蓋部材を閉じたときに画面を焼付き防止用画像に更新する。
【０１５８】
また、液晶表示装置１０においては、筐体が閉じられた後、所定時間が経過した後に焼付き防止用画像に更新するようにしても良い。これにより、筐体を閉じた直後に再度筐体を開けることがあっても不都合が生じない。
【０１５９】
また、所定時間が経過した後に焼付き防止用画像に更新する場合には、制御を簡易にするために閾値温度を超えた時刻からの経過時間を算出しても良いが、閾値温度を超えている間のみを積算した値で算出しても良い。これにより、正確性が高まる。
【０１６０】
また、液晶表示装置１０における警告については、スピーカから発せられる音声に限らず、液晶表示パネルへのメッセージ表示や、警告ランプを設けてこれを点灯したり、振動部材を設けて装置を振動させたりするなどの方法を用いてもよい。
【０１６１】
また、液晶表示装置１０においては、電圧印加などの回復処理を実行してから焼付き防止画像に更新しても良い。これにより、焼付きの発生をより抑制できる。
【０１６２】
また、液晶表示装置１０では、焼付き防止用画像への更新を実行する実行モードと、実行しない非実行モードとを選択可能としても良い。
【０１６３】
また、液晶表示装置１０においては、最終操作からの経過時間をもカウントし、焼付きが問題とならない所定時間内であれば、焼付き防止画像に更新するまでの時間を遅延するようにしても良い。
【０１６４】
＜第２実施形態＞
＜液晶表示装置の要部構成＞
図１６は、本発明の第２実施形態に係る液晶表示装置８０の外観を示す正面図である。
【０１６５】
液晶表示装置８０は、広告板タイプの表示装置として構成されており、４枚のパネル８１（８１ａ〜８１ｄ）を並べたマルチ画面タイプの表示部を有している。これらのパネル８１ａ〜８１ｄは、個々に独立しており、別々の表示が行えるとともに、複数で一つの画面として表示することもできる。
【０１６６】
図１７は、液晶表示装置８０の機能ブロックを示す図である。
【０１６７】
パネル８１それぞれは、第１実施形態と同様の構成を有する液晶表示パネル８２（８２ａ〜８２ｄ）と、タッチパネル８３（８３ａ〜８３ｄ）と、温度センサ８４とを備えている。
【０１６８】
液晶表示装置８０は、各液晶表示パネル８２を駆動する駆動回路８５と、各タッチパネル８３を制御するコントローラ８６とを備えている。
【０１６９】
また、液晶表示装置８０は、駆動回路８５およびコントローラ８６に電気的に接続するＣＰＵ９０と、ＣＰＵ９０に接続するＲＡＭ９１、ＲＯＭ９２、タイマ９３および通信回路９４とを備えている。
【０１７０】
液晶表示装置８０は、パーソナル用途に利用される第１実施形態の液晶表示装置１０に比べて、不特定多数の観察者に対して表示を行うため、極力表示を維持することが求められる。このような観点から液晶表示装置８０では、段階的に表示品位を下げて可能な限り表示を継続する制御を行う。この液晶表示装置８０の動作を以下で説明する。
【０１７１】
＜液晶表示装置８０の動作＞
液晶表示装置８０では、温度センサ８４で計測される環境温度に応じて様々な処理を行う。以下では、図１８を参照しつつ、各温度ごとに液晶表示装置８０の動作を説明する。
【０１７２】
（１）常温
タイマ９３で定期的に（例えば１０分間隔で）画像を更新する。例えば、液晶表示装置８０の各パネル８１では、図１９（ａ）→図１９（ｂ）→図１９（ｃ）→図１９（ｄ）のように表示が切り替わる。
【０１７３】
この場合、タッチパネル８３に対する操作があると操作内容に応じた表示を行う。また、操作終了から所定時間経過すると初期画面に戻る。この初期画面が定期的に更新されることとなる。
【０１７４】
なお、人間検知センサを設けて、人間がいる間は表示を継続するようにしても良い。また、焼付きを少しでも低減するという観点からは、表示更新により高濃度の表示であった部分は低濃度に、低濃度の表示であった部分は高濃度になるように考慮された画象データを用いるようにしてもよい。
【０１７５】
（２）ＴＬ１
温度センサ８４で検出される環境温度が常温より高い温度ＴＬ１になると、更新頻度を増加させる（例えば９分間隔で）。ここでは、温度上昇に応じて更新間隔を短縮するようにしても良い。
【０１７６】
（３）ＴＬ２
更新頻度が短かすぎると観察者に不都合を生じることがあるため、環境温度がＴＬ２に達する場合には、現在表示している画像データと同一のデータに基づき液晶表示パネル８２における画面の再書込みを実行する。この再書込みの実行により、画面が一旦リセットされるため、焼付きの緩和に有効である。
【０１７７】
（４）ＴＬ３
環境温度がＴＬ３を超える場合には、同じ画像を、画素をずらして再書込みする。例えば、図２０に示す表示状態Ｇ１から右方向に１ドット分ずらして表示状態Ｇ２となるように再書込みを行う。これにより、さらに焼付き防止の効果を高めることができる。
【０１７８】
画素をずらして再書込みする場合には、単純に上下左右斜めなどに所定のドット数画像をシフトさせたり、画像全体の表示倍率を変えて（縮小や拡大して）再表示すると良い。また、画像を縮小した上で所定時間毎に位置を変えて再表示するようにしても良い。
【０１７９】
（５）ＴＬ４
環境温度がＴＬ４に達する場合には、液晶表示パネル８２に対する再書込みの頻度を増加させる（例えば２分間隔→１分間隔）。これより、焼付きがより緩和される。
【０１８０】
（６）ＴＬ５
環境温度が別画像への更新や再書込みだけでは焼付きの発生を十分抑えられない温度ＴＬ５に達する場合には、一部のパネルの表示を消去し（すなわち焼付き防止用画像に更新し）残りのパネルのみで表示を継続する。
【０１８１】
例えば、図２１（ａ）に示すように全てのパネル８１ａ〜８１ｄで画像表示される状態で、環境温度が温度ＴＬ５に達する場合には、図２１（ｂ）に示すパネル８１ａ、図２１（ｂ）に示すパネル８１ｄ、図２１（ｄ）に示すパネル８１ｂの順に、部分的に画面を休止させる。これにより、休止パネルの焼きつきが緩和される。
【０１８２】
（７）ＴＬ６
さらに環境温度が上昇して温度ＴＬ６に達する場合には、休止画面領域を拡大する。例えば図２２（ａ）に示す１枚のパネル８１ａが休止される状態から、図２２（ｂ）に示す２枚のパネル８１ｃ、８１ｄが休止される状態に、さらに図２２（ｃ）に示す３枚のパネル８１ａ、８１ｂ、８１ｄが休止される状態に移行する。
【０１８３】
このように複数パネルの表示を消去することにより、焼付き緩和の効果を高めることができる。
【０１８４】
（８）ＴＬ７
休止画面領域が拡大しすぎぎると観察者に不都合を生じる恐れがあるため、環境温度が温度ＴＬ７に達すると、表示そのものを低コントラストにする。すなわち、駆動回路８５におけるコントラスト調整により、液晶表示パネル８１の画面を低コントラストで表示更新する。例えば、図２３（ａ）に示す状態から、図２３（ｂ）に示す低コントラストの状態に移行させる。これにより、焼付きがさらに低減できる。
【０１８５】
（９）ＴＬ８
さらに環境温度が上昇して温度ＴＬ８に達する場合には、コントラストの低下度合いを拡大させる。
【０１８６】
（１０）ＴＬ９
コントラストが低下しすぎると観察者に不都合を生じる恐れがあるため、環境温度が温度ＴＬ９に達する場合には、表示を一時的に消去する。例えば、図２４（ａ）に示す状態から、図２４（ｂ）に示すように全パネル８１ａ〜８１ｄを休止する状態に一時的に移行させる。このような間欠駆動により、焼付きがさらに低減できる。
【０１８７】
（１１）ＴＬ１０
さらに環境温度が上昇して温度ＴＬ１０に達する場合には、表示を一時的に消去する時間を長くして、休止期間を延長する。
【０１８８】
（１２）ＴＭ
環境温度が温度ＴＭを超えると、液晶表示パネル８２を保護するために全画面の表示を消去する。
【０１８９】
以上の液晶表示装置８０の動作により、液晶表示パネル８２を環境温度に応じて段階的に焼付き防止の制御を行うため、極力表示を維持しつつ液晶表示パネル８２の焼付きを効果的に抑制できる。
【０１９０】
なお、液晶表示装置８０では、▲１▼表示の更新頻度、▲２▼再書込み及びその頻度、▲３▼画素ずらし表示、▲４▼画面の部分休止、▲５▼低コントラスト表示、▲６▼画面の一時的休止という順序で段階的に焼付き防止を行っているが、これらの各項目の順序を適宜入れ替えたり、これらのうち複数の項目を並列的に実施するようにしてもよい良い。また、これらの項目うち、いずれかを実施しなくても良い。
【０１９１】
また、焼付きをより効果的に防止するために、表示パネル前方にいる人体を検出するセンサを液晶表示装置８０に設けて、センサが人体を検出しなくなると、画面を焼付き防止用画像に更新するようにしても良い。
【０１９２】
また、液晶表示パネル８２における画面の部分休止については、画像データを加工するなどして１つの液晶表示パネル８２内で部分的な休止領域を設けるようにしても良い。
【０１９３】
また、液晶表示パネル８２が積層型である場合には、焼付きが生じ難い少なくとも１つの液晶表示層で表示を行い、他の層は低コントラスト状態にセットしたり全画素均一な状態にセットしたりする態様や、低コントラスト状態又は全画素均一な状態にセットする液晶表示層と表示を行う液晶表示層とを順次切替える態様を、上記▲１▼〜▲６▼の項目に追加するようにしても良い。
【０１９４】
＜変形例＞
◎上述した具体的実施形態には、以下の構成を有する発明が含まれている。
【０１９５】
（１）請求項２に記載の液晶表示装置において、前記制御手段は、前記温度検出手段で検出される前記環境温度が所定温度以上である限り、前記液晶表示パネルの画面の新たな更新を禁止するように前記駆動回路を制御する手段を有することを特徴とする液晶表示装置。
【０１９６】
これにより、液晶パネルの焼付きを効果的に抑制できる。
【０１９７】
（２）請求項１に記載の液晶表示装置において、前記液晶表示パネルに前記焼付き防止用画像を更新表示する前に、警告を行う警告手段をさらに備えることを特徴とする液晶表示装置。
【０１９８】
これにより、液晶パネルの焼付きについてユーザに注意喚起できる。
【０１９９】
（３）請求項２に記載の液晶表示装置において、前記温度検出手段は、前記環境温度が所定温度以上となった後も前記環境温度の検出を継続するとともに、前記制御手段は、前記温度検出手段で検出される前記環境温度の上昇に応じて、前記液晶表示パネルの画面を前記焼付き防止用画像に更新するまでの時間を短縮するタイマ補正手段を有することを特徴とする液晶表示装置。
【０２００】
これにより、液晶パネルの焼付きを効果的に抑制できる。
【０２０１】
（４）請求項１に記載の液晶表示装置において、前記温度検出手段は、前記環境温度が所定温度以上となった後も前記環境温度の検出を継続するとともに、前記制御手段は、前記温度検出手段で検出する前記環境温度が所定の温度以下となる場合には、前記駆動回路を能動化させて、前記焼付き防止用画像に更新する前に表示されていた画像を前記液晶表示パネルに再表示する手段を有することを特徴とする液晶表示装置。
【０２０２】
これにより、ユーザの利便性が向上する。
【０２０３】
（５）請求項１ないし請求項５のいずれかに記載の液晶表示装置において、前記液晶表示パネルの画面を前記焼付き防止用画像に更新する場合には、前記焼付き防止用画像を表示した旨を示すマークを表示する手段をさらに備えることを特徴とする液晶表示装置。
【０２０４】
これにより、液晶パネルの焼付きについてユーザに注意喚起できる。
【０２０５】
（６）請求項５に記載の液晶表示装置において、前記制御手段は、前記蓋部材が前記第１位置にあり前記液晶表示パネルの画面に前記焼付き防止用画像が表示されている際に、前記蓋部材が開放される場合は、前記駆動回路を能動化させて、前記焼付き防止用画像に更新する前に表示されていた画像を前記液晶表示パネルに再表示する手段を有することを特徴とする液晶表示装置。
【０２０６】
これにより、ユーザの利便性が向上する。
【０２０７】
（７）液晶表示装置であって、メモリ性を有しコレステリック液晶相の選択反射を利用して表示を行う液晶表示パネルと、前記液晶表示パネルを駆動する駆動回路と、前記液晶表示パネルの周囲における環境温度を検出する温度検出手段と、前記温度検出手段で検出される前記環境温度が所定の温度以上となる場合には、前記駆動回路におけるコントラスト調整により、前記液晶表示パネルの画面を低コントラストで表示更新する調整手段とを備えることを特徴とする液晶表示装置。
【０２０８】
これにより、液晶パネルの焼付きを抑制できる。
【０２０９】
【発明の効果】
以上説明したように、請求項１および請求項２の発明によれば、温度検出手段で検出される環境温度が所定温度以上となる場合には、駆動回路を能動化させて液晶表示パネルの画面を焼付き防止用画像に更新するため、液晶表示パネルの焼付きを抑制できる。
【０２１０】
特に、請求項２の発明においては、環境温度が所定温度以上となり、かつ液晶表示パネルにおける表示の更新が行われずに所定時間が経過した場合には、液晶表示パネルの画面を焼付き防止用画像に更新するため、液晶表示パネルの焼付きを適切に抑制できる。
【０２１１】
また、請求項３の発明によれば、温度検出手段で検出される環境温度が第１温度以上となる場合には、液晶表示パネルの画面を焼付き防止用画像に更新するとともに、環境温度が第１温度より高い第２温度となる場合には、直ちに液晶表示パネルの画面を焼付き防止用画像に更新する。その結果、段階的に液晶表示パネルの焼付きを抑制できる。
【０２１２】
また、請求項４の発明によれば、液晶表示パネルにおける画面更新からの経過時間が所定の時間に達した場合には、休止状態にある駆動回路を能動化させて、液晶表示パネルに焼付き防止用画像を表示させるため、液晶表示パネルの焼付きを抑制できる。
【０２１３】
また、請求項５の発明によれば、蓋部材が液晶表示パネルを覆う第１位置となる場合には、休止状態にある駆動回路を能動化させて、液晶表示パネルの画面に焼付き防止用画像を表示させるため、液晶表示パネルの焼付きを抑制できる。
【図面の簡単な説明】
【図１】本発明の第１実施形態に係る液晶表示装置１０を示す斜視図である。
【図２】液晶表示素子１００Ｒ、１００Ｌの要部構成を示す断面図である。
【図３】液晶表示装置１０の機能ブロックを示す図である。
【図４】液晶表示素子と駆動ＩＣとの接続関係を説明するための図である。
【図５】液晶表示装置１０の基本的な動作を説明するフローチャートである。
【図６】バッテリチェック処理を説明するフローチャートである。
【図７】更新可否判定処理を説明するフローチャートである。
【図８】温度ＴＣ、ＴＬ、ＴＭの関係と時間ｔ１〜ｔ４の関係と説明するための図である。
【図９】焼付き防止処理１を説明するフローチャートである。
【図１０】焼付き防止処理２を説明するフローチャートである。
【図１１】焼付き防止処理３を説明するフローチャートである。
【図１２】焼付き防止処理４を説明するフローチャートである。
【図１３】画面更新処理を説明するフローチャートである。
【図１４】タイマ補正処理を説明するフローチャートである。
【図１５】再表示処理を説明するフローチャートである。
【図１６】本発明の第２実施形態に係る液晶表示装置８０の外観を示す正面図である。
【図１７】液晶表示装置８０の機能ブロックを示す図である。
【図１８】各温度における液晶表示装置８０の動作を説明するための図である。
【図１９】液晶表示装置８０における定期更新を説明するための図である。
【図２０】液晶表示装置８０における画素ずらしを説明するための図である。
【図２１】液晶表示装置８０における部分休止を説明するための図である。
【図２２】液晶表示装置８０における休止領域拡大を説明するための図である。
【図２３】液晶表示装置８０における低コントラスト表示を説明するための図である。
【図２４】液晶表示装置８０における間欠表示を説明するための図である。
【符号の説明】
１０、８０  液晶表示装置
１１、１１Ｌ、１１Ｒ、８２、８２ａ〜８２ｄ  液晶表示パネル
３１Ｒ、３１Ｌ  温度センサ
３２Ｒ、３２Ｌ  スピーカ
４１  表示窓
４２、９３  タイマ
４３  バッテリチェッカ
５１、９０  ＣＰＵ
７０  電源部
８５  駆動回路
１００Ｒ，１００Ｌ  液晶表示素子
１３１Ｒ、１３１Ｌ  走査駆動ＩＣ
１３２Ｒ、１３２Ｌ  信号駆動ＩＣ
ｔｍ１〜５  タイマ
【図１】
2004219715.tif 000003
【図２】
2004219715.tif 000004
【図３】
2004219715.tif 000005
【図４】
2004219715.tif 000006
【図５】
2004219715.tif 000007
【図６】
2004219715.tif 000008
【図７】
2004219715.tif 000009
【図８】
2004219715.tif 000010
【図９】
2004219715.tif 000011
【図１０】
2004219715.tif 000012
【図１１】
2004219715.tif 000013
【図１２】
2004219715.tif 000014
【図１３】
2004219715.tif 000015
【図１４】
2004219715.tif 000016
【図１５】
2004219715.tif 000017
【図１６】
2004219715.tif 000018
【図１７】
2004219715.tif 000019
【図１８】
2004219715.tif 000020
【図１９】
2004219715.tif 000021
【図２０】
2004219715.tif 000022
【図２１】
2004219715.tif 000023
【図２２】
2004219715.tif 000024
【図２３】
2004219715.tif 000025
【図２４】
2004219715.tif 000026